(57)【要約】【課題】外壁材に対してサッシが屋内側に配置された建物において、サッシに対する上側からの排水の経路を確保し且つ建物の意匠性の低下を抑制する。【解決手段】排水構造３０は、複数の外壁材３２と、第１目地材３６と、第２目地材３８と、サッシ４２と、第３目地材４４とを有する。複数の外壁材３２は、構成部材１４に対して屋外側に設けられＸ方向に並ぶ。第１目地材３６は、複数の外壁材３２の間でＹ方向及びＺ方向に延びる。第２目地材３８は、第１目地材３６に対して屋内側且つ上側に配置され、第１流路４９を第１目地材３６と共に形成する。サッシ４２は、外壁材３２に対する下側且つ外面３３Ａよりも屋内側で構成部材１４に設けられ、第２流路５１を形成する上枠５７を備える。第３目地材４４は、下面３４Ｄの少なくとも一部が露出されるように外壁材３２と上枠５７との間に設けられ、第２流路５１を屋外側から覆う。【選択図】図５
2019120029.tif 000002
【特許請求の範囲】
【請求項１】
建物の一部を構成する構成部材に対して屋外側に設けられ、該建物の高さ方向及び内外方向とそれぞれ直交する幅方向に並んだ複数の外壁材と、
複数の前記外壁材の間で前記高さ方向に延び且つ前記高さ方向の下端から前記内外方向の屋内側へ延びる第１目地材と、
前記第１目地材に対して前記内外方向の屋内側且つ前記高さ方向の上側に配置され、水が流れる第１流路を前記第１目地材と共に形成する第２目地材と、
複数の前記外壁材に対する前記高さ方向の下側で且つ前記外壁材の屋外側の外面よりも屋内側で前記構成部材に設けられ、前記第１流路から流れる水が前記幅方向に案内される第２流路を形成する上枠を備えたサッシと、
複数の前記外壁材の下面の少なくとも一部が露出されるように前記外壁材と前記上枠との間に設けられ、前記第２流路を屋外側から覆う第３目地材と、
を有する建物の排水構造。
【請求項２】
前記第２目地材の屋内側端部と前記構成部材との間には、前記第１流路を流れた水を前記上枠へ案内する案内部材が設けられている請求項１に記載の建物の排水構造。
【請求項３】
前記案内部材は、多孔質材で構成されている請求項２に記載の建物の排水構造。
【請求項４】
前記案内部材の一部は、前記構成部材と前記外壁材とで挟まれている請求項２又は請求項３に記載の建物の排水構造。
【請求項５】
前記内外方向を厚さ方向として前記第３目地材と接触され、前記上枠と共に前記第２流路を形成する板状のシールバッカー材が設けられた請求項１から請求項４のいずれか１項に記載の建物の排水構造。
【請求項６】
前記サッシの前記幅方向の少なくとも一方側には前記外壁材が設けられ、
前記幅方向における前記サッシと前記外壁材との間には、前記高さ方向に延びると共に水が流れる第３流路を形成し、且つ前記サッシと前記外壁材との間を屋外側から覆う第４目地材が設けられ、
前記第２流路の前記幅方向の端部と前記第３流路とが繋がっている請求項１から請求項５のいずれか１項に記載の建物の排水構造。
【請求項７】
前記サッシの前記幅方向の側面と前記構成部材との隙間を塞ぐ閉塞部材が設けられた請求項１から請求項６のいずれか１項に記載の建物の排水構造。
【発明の詳細な説明】
【技術分野】
【０００１】
本発明は、建物の排水構造に関する。
【背景技術】
【０００２】
特許文献１の建物では、インセットされたサッシの上枠、縦枠及び下枠に中空部を設け、該中空部を通じて屋外側へ水を排出している。
【先行技術文献】
【特許文献】
【０００３】
【特許文献１】特開２０１４−１１４６６０号公報
【発明の概要】
【発明が解決しようとする課題】
【０００４】
特許文献１の建物では、外壁材に対して屋内側に配置された（インセットされた）サッシの上枠が、上側の外壁材の下面を覆う位置まで延びている。このため、排水の経路は確保されるものの、外壁材の下面が隠れてしまっており、建物の意匠性が低下している。つまり、外壁材に対してサッシが屋内側に配置された建物において、サッシに対する上側からの排水の経路を確保し且つ建物の意匠性の低下を抑制するには、改善の余地がある。
【０００５】
本発明は、外壁材に対してサッシが屋内側に配置された建物において、サッシに対する上側からの排水の経路を確保し且つ建物の意匠性の低下を抑制することを目的とする。
【課題を解決するための手段】
【０００６】
第１態様に係る建物の排水構造は、建物の一部を構成する構成部材に対して屋外側に設けられ、該建物の高さ方向及び内外方向とそれぞれ直交する幅方向に並んだ複数の外壁材と、複数の前記外壁材の間で前記高さ方向に延び且つ前記高さ方向の下端から前記内外方向の屋内側へ延びる第１目地材と、前記第１目地材に対して前記内外方向の屋内側且つ前記高さ方向の上側に配置され、水が流れる第１流路を前記第１目地材と共に形成する第２目地材と、複数の前記外壁材に対する前記高さ方向の下側で且つ前記外壁材の屋外側の外面よりも屋内側で前記構成部材に設けられ、前記第１流路から流れる水が前記幅方向に案内される第２流路を形成する上枠を備えたサッシと、複数の前記外壁材の下面の少なくとも一部が露出されるように前記外壁材と前記上枠との間に設けられ、前記第２流路を屋外側から覆う第３目地材と、を有する。
【０００７】
第１態様に係る建物の排水構造では、第１目地材と第２目地材とで第１流路が構成されていることで、第１流路から屋外側への水の流出が抑制される。第１流路では、水が、高さ方向下側に向けて流れた後で内外方向の屋内側に向けて流れる。そして、第１流路の屋内側端部に流れた水は、サッシの上枠の第２流路に流れる。第２流路では、第１流路から流れる水が幅方向に案内される。このように、外壁材に対してサッシが屋内側に配置されていても、サッシに対する上側からの排水の経路を確保することができる。
【０００８】
さらに、第３目地材が複数の外壁材の下面の少なくとも一部が露出されるように第２流路を屋外側から覆うので、排水の経路を視認され難くすることができると共に、外壁材の下面を露出させて建物の意匠性の低下を抑制することができる。このように、外壁材に対してサッシが屋内側に配置された建物において、サッシに対する上側からの排水の経路を確保し且つ建物の意匠性の低下を抑制することができる。
【０００９】
第２態様に係る建物の排水構造の前記第２目地材の屋内側端部と前記構成部材との間には、前記第１流路を流れた水を前記上枠へ案内する案内部材が設けられている。
【００１０】
第２態様に係る建物の排水構造では、第１流路を流れて第２目地材の屋内側端部に到達した水は、案内部材によってサッシの上枠に案内される。換言すると、水が第１流路から構成部材に向けて勢いよく流れることがあった場合に、構成部材から建物の屋内側へ水が浸入するのを抑制することができる。
【００１１】
第３態様に係る建物の排水構造の前記案内部材は、多孔質材で構成されている。
【００１２】
第３態様に係る建物の排水構造では、多孔質材の孔が水の流路になると共に孔壁が水の移動を規制する。これにより、孔が無い部材を第１流路の下流端に設けた構成に比べて、水の移動を規制しつつ、大きさが限られた空間部内で水を流すための空間部を確保することができる。
【００１３】
第４態様に係る建物の排水構造の前記案内部材の一部は、前記構成部材と前記外壁材とで挟まれている。
【００１４】
第４態様に係る建物の排水構造では、案内部材の一部が構成部材と外壁材とで挟まれることで、構成部材と外壁材との隙間が塞がれる。これにより、構成部材と外壁材との隙間から屋内側へ水が浸入するのを抑制することができる。
【００１５】
第５態様に係る建物の排水構造は、前記内外方向を厚さ方向として前記第３目地材と接触され、前記上枠と共に前記第２流路を形成する板状のシールバッカー材が設けられている。
【００１６】
第５態様に係る建物の排水構造では、板状のシールバッカー材と上枠とで第２流路が形成されている。このため、板状よりも厚いバルク状の部材を用いて第２流路を形成する構成に比べて、外壁材の下面の露出面積を増やすことができる。
【００１７】
第６態様に係る建物の排水構造は、前記サッシの前記幅方向の少なくとも一方側には前記外壁材が設けられ、前記幅方向における前記サッシと前記外壁材との間には、前記高さ方向に延びると共に水が流れる第３流路を形成し、且つ前記サッシと前記外壁材との間を屋外側から覆う第４目地材が設けられ、前記第２流路の前記幅方向の端部と前記第３流路とが繋がっている。
【００１８】
第６態様に係る建物の排水構造では、第２流路を幅方向に流れた水が第２流路の幅方向端部から第３流路に流れる。そして、第３流路に流れた水が第３流路を高さ方向下側へ流れる。ここで、第３流路は、第４目地材によって屋外側から覆われており、屋外側から視認され難くなるので、建物の意匠性の低下を抑制しつつ排水の経路を確保することができる。
【００１９】
第７態様に係る建物の排水構造は、前記サッシの前記幅方向の側面と前記構成部材との隙間を塞ぐ閉塞部材が設けられている。
【００２０】
第７態様に係る建物の排水構造では、閉塞部材がサッシの幅方向の側面と構成部材との隙間を塞ぐので、サッシと構成部材との隙間から屋内側へ水が浸入するのを抑制することができる。
【発明の効果】
【００２１】
以上説明したように、本発明に係る建物の排水構造では、外壁材に対してサッシが屋内側に配置された建物において、サッシに対する上側からの排水の経路を確保し且つ建物の意匠性の低下を抑制することができる。
【図面の簡単な説明】
【００２２】
【図１】本実施形態に係る建物のサッシ及びサッシ周辺部の概略構成図である。
【図２】本実施形態に係る建物のサッシ周辺の目地を示す説明図である。
【図３】本実施形態に係る隣り合う外壁材の間の目地を示す説明図である。
【図４】本実施形態に係るサッシと外壁材との間の目地を示す説明図である。
【図５】本実施形態に係る建物における目地と高さ方向に並ぶ部位を幅方向から見た場合の概略断面図（図２の５−５線断面図）である。
【図６】本実施形態に係る目地を斜め方向から見た説明図である。
【図７】本実施形態に係るシールバッカー材をサッシの上枠に取付けた状態を示す説明図である。
【図８】本実施形態に係る建物における目地を幅方向から見た場合の概略断面図（図２の８−８線断面図）である。
【図９】本実施形態に係る目地を斜め方向から見た説明図である。
【図１０】本実施形態に係る排水構造において水が流れる状態を示す説明図である。
【発明を実施するための形態】
【００２３】
本実施形態に係る建物の排水構造の一例について説明する。
【００２４】
〔全体構成〕
図１には、建物の排水構造の一例としての排水構造３０が適用された建物１０の一部の概略構成が示されている。建物１０は、一例として、柱１２（図４参照）及び図示しない床梁と、構成部材１４（図４参照）と、排水構造３０とを含んで構成されている。なお、以後の説明では、建物１０の幅方向（桁方向又は妻方向）をＸ方向、高さ方向（上下方向）をＹ方向、内外方向をＺ方向と称する。Ｘ方向、Ｙ方向及びＺ方向は、互いに直交する。
【００２５】
＜構成部材＞
図４に示す構成部材１４は、一例として、建物１０の屋外側に配置されたサッシ用フレーム１６及び外壁用フレーム２２を含んで構成されており、建物１０の一部を構成している。また、構成部材１４は、柱１２又は図示しない床梁に支持されている。
【００２６】
（サッシ用フレーム)
図５に示すサッシ用フレーム１６は、一例として、Ｘ方向に長尺とされた下フレーム１７と、下フレーム１７に対するＹ方向の上側でＸ方向に長尺とされた上フレーム１８と、Ｙ方向に長尺とされた２本の縦フレーム１９（図４参照）とを有する。そして、サッシ用フレーム１６は、後述するサッシ４２が図示しないビス等により取付けられることで、サッシ４２を下側及び屋内側から支持している。
【００２７】
下フレーム１７、上フレーム１８及び２本の縦フレーム１９は、Ｚ方向から見た場合に、略矩形枠状に接続されている。下フレーム１７は、一例として、Ｘ方向から見た場合に、上段が下段よりも屋内側に配置される階段状の断面形状を有する。上フレーム１８は、一例として、Ｘ方向から見た場合に、前壁部１８Ａと、上壁部１８Ｂと、後壁部１８Ｃと、下壁部１８Ｄとを有する略クランク状に形成されている。
【００２８】
前壁部１８Ａは、Ｚ方向を厚さ方向としてＸ−Ｙ面に沿って配置されている。上壁部１８Ｂは、前壁部１８Ａの上端から屋内側へＺ方向に沿って延びている。また、上壁部１８Ｂは、Ｙ方向から見た場合に、Ｘ方向を長手方向とする矩形状に形成されている。後壁部１８Ｃは、上壁部１８Ｂの屋内側端部からＹ方向下側に延びている。下壁部１８Ｄは、後壁部１８Ｃの下端から屋内側へＺ方向に沿って延びている。
【００２９】
図４に示す縦フレーム１９は、一例として、後述するサッシ４２の一部がネジ２１Ａを用いてＸ方向に取付けられる側壁部１９Ａと、サッシ４２の他の一部がネジ２１Ｂを用いてＺ方向に取付けられる前壁部１９Ｂとを有する。
【００３０】
（外壁用フレーム）
図５に示す外壁用フレーム２２は、Ｘ方向に長尺とされた部材である。また、外壁用フレーム２２は、一例として、Ｘ方向から見た場合に板材を直角に屈曲させた略Ｌ字状に形成されている。具体的には、外壁用フレーム２２は、上フレーム１８にボルト等を用いて取付けられる取付部２２Ａと、後述する外壁材３２がボルト等を用いて取付けられると共に外壁材３２を屋内側から支持する支持部２２Ｂとを有する。上フレーム１８と外壁用フレーム２２との隙間は、一例として、ＣＲ（クロロプレンゴム）シートから成る止水材２４によって屋外側から止水されている。
【００３１】
〔要部構成〕
次に、排水構造３０について説明する。
【００３２】
図５に示す排水構造３０は、複数の外壁材３２（図２参照）と、第１目地材３６と、第２目地材３８と、サッシ４２と、第３目地材４４と、案内部材の一例としてのスポンジ材６４と、第４目地材６６（図２参照）とを有する。また、排水構造３０には、シールバッカー材７２と、閉塞部材の一例としての防水テープ７４（図４参照）とが設けられている。
【００３３】
＜外壁材＞
図１に示す複数の外壁材３２は、一例として、それぞれ、Ｚ方向を厚さ方向としＹ方向に長い略矩形板状に形成された軽量気泡コンクリート（ＡＬＣ）で構成されている。外壁材３２における屋外側の表面には、複数の溝３２Ａが形成されている。外壁材３２の屋外側の表面は、建物１０の意匠面を構成している。
【００３４】
複数の外壁材３２のうち、大型のものを第１外壁材３３と称し、小型のものを第２外壁材３４と称する。図１では、一例として、２つの第１外壁材３３と、上下それぞれ３つの第２外壁材３４とが示されている。２つの第１外壁材３３は、Ｘ方向に間隔をあけて配置され、Ｙ方向に延びている。上下それぞれ３つの第２外壁材３４は、２つの第１外壁材３３のＹ方向中央よりも上側又は下側の部位をＸ方向に繋ぐように、Ｘ方向に並んで配置されている。換言すると、複数の外壁材３２は、Ｚ方向から見た場合に、全体が四角形状に配置されている。そして、Ｚ方向から見た場合に、複数の外壁材３２によって囲まれた中空部には、後述するサッシ４２が配置されている。
【００３５】
図２に示す排水構造３０において、Ｘ方向における第２外壁材３４と第２外壁材３４との間を目地４６と称する。また、Ｘ方向における第１外壁材３２と第２外壁材３４との間を目地４７と称する。さらに、Ｘ方向における第１外壁材３２と後述するサッシ４２との間を目地４８と称する。目地４８は、目地４６及び目地４７に対して屋内側に配置されている。目地４７に設けられた排水構造３０は、一例として、目地４６に設けられた排水構造３０と同様の構成とされている。このため、目地４６に設けられた排水構造３０について説明し、目地４７に設けられた排水構造３０の説明を省略する。
【００３６】
図４に示す第１外壁材３３は、外壁用フレーム２２に対してＺ方向の屋外側に設けられている。また、第１外壁材３３は、Ｙ方向から見た場合に、Ｚ方向の屋外側でＸ方向に延びる外面３３Ａと、屋内側でＸ方向に延びる内面３３Ｂと、外面３３ＡのＸ方向端部と内面３３ＢのＸ方向端部とを繋ぎＺ方向に延びる側面３３Ｃとを有する。
【００３７】
図３に示す第２外壁材３４は、外壁用フレーム２２に対してＺ方向の屋外側に設けられている。また、第２外壁材３４は、Ｙ方向から見た場合に、Ｚ方向の屋外側でＸ方向に延びる外面３４Ａと、屋内側でＸ方向に延びる内面３４Ｂと、外面３４ＡのＸ方向端部と内面３４ＢのＸ方向端部とを繋ぎＺ方向に延びる側面３４Ｃとを有する。側面３４Ｃは、Ｘ方向から見た場合に、Ｚ方向を短手方向としＹ方向を長手方向とする矩形状に形成されている。さらに、第２外壁材３４は、外面３４Ａの下端と内面３４Ｂの下端とをＺ方向に繋ぐ下面３４Ｄ（図２参照）を有する。
【００３８】
＜第１目地材＞
図３に示す第１目地材３６は、不定形シール材で構成されている。また、第１目地材３６は、一次防水ラインを構成する一次シール材として目地４６に配置され、目地４６を止水（閉塞）している。図５に示すように、第１目地材３６は、具体的には、Ｙ方向に直線状に延びる縦部３６Ａと、縦部３６Ａの下端部から外壁用フレーム２２付近までＺ方向の屋内側に延びる横部３６Ｂとを有する。つまり、第１目地材３６は、Ｘ方向から見た場合にＬ字状に形成されている。第１目地材３６としては、例えば、ウレタンや変成シリコンなどが用いられる。
【００３９】
縦部３６Ａは、側面３４ＣのＺ方向屋外側の端部にＹ方向に沿って設けられている。横部３６Ｂは、側面３４ＣのＹ方向下端部にＺ方向に沿って設けられている。横部３６ＢのＺ方向屋内側の端部と外壁用フレーム２２との間には、空間部２６が形成されている。空間部２６のＺ方向の長さは、横部３６ＢのＺ方向の長さよりも短い。目地４６のＹ方向下部は、第１目地材３６によって屋外側から覆われている。
【００４０】
＜第２目地材＞
第２目地材３８は、一例として、定形シール材３９と、定形シール材４１とで構成されている。また、第２目地材３８は、二次シール材（ガスケット）として、目地４６に設けられている。さらに、第２目地材３８は、図示しない両面テープや接着剤を用いて、第２外壁材３４に固定されている。
【００４１】
定形シール材３９は、縦部３６Ａに対するＺ方向屋内側に配置され、Ｙ方向に直線状に延びている。また、定形シール材３９は、縦部３６Ａの下端部付近で且つ横部３６ＢのＺ方向屋外側端部まで延びると共に、縦部３６Ａ及び横部３６Ｂと僅かに間隔をあけて配置されている。さらに、定形シール材３９は、一例として、ＥＰＤＭ（エチレンプロピレンジエンゴム）を含む弾性材で構成されている。
【００４２】
図３に示す定形シール材３９は、Ｙ方向から見た場合に、Ｘ方向を厚さ方向とする板状の基部３９Ａと、基部３９ＡのＺ方向屋内側端部でＸ方向両側に張出された張出部３９Ｂと、基部３９ＡのＺ方向屋外側端部でＸ方向両側に張出された張出部３９Ｃとを有する。張出部３９Ｂ及び張出部３９Ｃは、それぞれＸ方向の両外側端部が屋外側を向くように斜め方向に延びており、Ｘ方向に隣り合う１組の第２外壁材３４により、Ｘ方向に圧縮されている。これにより、目地４６では、Ｙ方向から見た場合に、一例として、３つの閉断面で構成された空間部４３が形成されている。空間部４３では、Ｙ方向における空気及び水の流通が可能となっている。
【００４３】
図５に示す定形シール材４１は、一例として、定形シール材３９と同様の構成とされており、長手方向の長さ及び配置が定形シール材３９とは異なっている。定形シール材４１は、横部３６Ｂに対するＹ方向上側に配置され、定形シール材３９の下端部から屋内側へＺ方向に直線状に延びている。換言すると、定形シール材３９及び定形シール材４１は、Ｘ方向から見た場合にＬ字状に配置されている。定形シール材４１の屋内側端部は、支持部２２ＢとＺ方向に予め設定された間隔をあけて配置されている。なお、定形シール材４１の屋内側端面と、横部３６Ｂの屋内側端面とは、Ｙ方向にほぼ揃った状態で並んでいる。このように、第２目地材３８は、第１目地材３６に対してＺ方向の屋内側且つＹ方向の上側に配置されている。
【００４４】
第１目地材３６と第２目地材３８との間には、僅かに隙間が形成されている。また、定形シール材３９及び定形シール材４１は、空間部４３（図３参照）を有している。ここで、第１目地材３６と第２目地材３８との間の隙間と、空間部４３とをまとめて、第１流路４９と称する。つまり、第２目地材３８は、水Ｗが流れる第１流路４９を第１目地材３６と共に形成している。これにより、例えば、第１目地材３６の一部が切れて第１流路４９に水Ｗが浸入した場合には、この水Ｗが、Ｙ方向に流れ且つ横部３６Ｂと接触する部位からＺ方向の屋内側へ流れるようになっている。
【００４５】
＜サッシ＞
図２に示すサッシ４２は、外壁材３２とＸ方向及びＹ方向に隣合い、外壁材３２の外面３３Ａよりも屋内側でサッシ用フレーム１６（図４参照）に設けられている。具体的には、サッシ４２は、建物１０において、上側の第２外壁材３４に対するＹ方向の下側で且つ第１外壁材３３とＸ方向に隣り合う部位に設けられている。また、サッシ４２は、一例として、Ｚ方向から見た場合に、Ｘ方向を長手方向としＹ方向を短手方向とする矩形状の枠部５２と、枠部５２の内側に配置された窓ガラス５４とを有する構成とされている。
【００４６】
枠部５２は、Ｘ方向に間隔をあけて配置されＹ方向に延びる一対の縦枠５６と、一対の縦枠５６の上端部をＸ方向に繋ぐ上枠５７と、一対の縦枠５６の下端部をＸ方向に繋ぐと共に窓ガラス５４を支持する下枠５８とを備えている。
【００４７】
図５に示す上枠５７は、上フレーム１８に図示しないビスを用いて取付けられている。また、上枠５７は、Ｘ方向から見た場合にＺ方向を長手方向としＹ方向を短手方向とする略矩形状に形成されている。上枠５７のＺ方向屋外側端部は、縦枠５６よりも屋外側へ突出されている。上枠５７のＺ方向屋外側端部は、一例として、外壁材３２のＺ方向中央部に対する下側に配置されている。なお、上枠５７のＹ方向上側の面を上面５７Ａと称する。
【００４８】
上面５７Ａは、前壁部１８ＡからＺ方向屋外側に延びると共にＸ方向に延びている。また、上面５７Ａは、外壁材３２（下面３４Ｄ）及び第１目地材３６とＹ方向に対向配置されている。さらに、上面５７Ａは、Ｘ方向中央部よりも両端部がＹ方向下側に位置するように僅かに傾斜配置されている。これにより、水Ｗが上面５７ＡのＸ方向中央部に流れてきた場合に、この水Ｗが、Ｘ方向の両端部に向けて流れるようになっている。換言すると、上枠５７は、第１流路４９から流れる水ＷがＸ方向に案内される第２流路５１を、前壁部１８Ａと共に形成している。
【００４９】
下枠５８は、下フレーム１７に図示しないビスを用いて取付けられている。また、下枠５８は、縦枠５６よりもＺ方向の屋外側へ突出されている。下枠５８の屋外側端部には、図示しないスナップフィット等の取付手段によって、下枠水切５９が取付けられている。
【００５０】
図４に示す縦枠５６のＸ方向外側端部には、ネジ２１Ａを用いて側壁部１９Ａに取付けられる取付部５６Ａと、ネジ２１Ｂを用いて前壁部１９Ｂに取付けられる取付部５６Ｂとが形成されている。Ｚ方向から見た場合に、取付部５６Ａは、Ｘ方向を厚さ方向としてＺ方向に延びる板状に形成されている。
【００５１】
取付部５６Ｂは、取付部５６ＡのＺ方向屋外側の端部からＸ方向の外側（外壁材３２側）へ延びている。また、取付部５６Ｂは、Ｘ方向から見た場合に、外壁材３２のＺ方向中央よりも屋内側の部位と重なるように配置されている。サッシ用フレーム１６にサッシ４２が取付けられ、且つ外壁用フレーム２２に外壁材３２（第１外壁材３３）が取付けられた状態において、取付部５６Ｂと外壁材３２との間には、Ｙ方向に長い目地４８が形成されている。目地４８は、目地４７（図２参照）に対する下側で且つ屋内側に配置されている（インセットされている）。
【００５２】
＜第３目地材＞
図５に示す第３目地材４４は、一例として、第１目地材３６と同様の不定形シール材で構成されている。また、第３目地材４４は、複数の外壁材３２（第２外壁材３４）の下面３４Ｄの少なくとも一部が露出されるように、第２外壁材３４と上枠５７との間の横目地６１に設けられ、且つ第２流路５１をＺ方向の屋外側から覆っている。なお、下面３４Ｄの少なくとも一部が露出される状態とは、下面３４Ｄの少なくとも一部が屋外側から視認できる状態を意味する。
【００５３】
具体的には、第３目地材４４は、横目地６１においてＸ方向に直線状に延びており、横目地６１の屋外側を閉塞している。また、第３目地材４４は、Ｘ方向から見た場合に、略四角形状の断面形状を有しており、上面５７ＡのＺ方向中央部上で且つ前壁部１８Ａに対する屋外側に設けられ、前壁部１８ＡとＺ方向に対向している。また、第３目地材４４は、後述するシールバッカー材７２と共に第２流路５１の屋外側の側壁部として機能しており、第２流路５１を流れる水ＷがＺ方向の屋外側へ流出するのを抑制している。第３目地材４４としては、例えば、ウレタンや変成シリコンなどが用いられる。
【００５４】
第３目地材４４の屋内側端面と、横部３６Ｂの屋内側端面とは、Ｙ方向にほぼ揃った状態で並んでいる。また、第３目地材４４は、第１目地材３６に対してＹ方向の下側に配置されている。これにより、既述の第１流路４９を流れた水Ｗは、横部３６Ｂの屋内側端部から下側へ流れ、第２流路５１内に流入してＸ方向に流れるようになっている。
【００５５】
＜スポンジ材＞
図６に示すスポンジ材６４は、目地４６において、第２目地材３８の屋内側端部と外壁用フレーム２２（構成部材１４）との間に設けられている。また、スポンジ材６４は、多孔質材の一例として、通気可能なＥＰＤＭ製スポンジで構成されている。スポンジ材６４では、図示しない複数の孔によって通気が可能となっているが、Ｘ方向、Ｙ方向及びＺ方向の水Ｗの移動については、図示しない複数の孔壁と水Ｗとが接触することで、少なくとも一部が規制されるようになっている。そして、スポンジ材６４は、第１流路４９を流れた水Ｗと接触することで、この水を上枠５７へ案内するように構成されている。
【００５６】
具体的には、スポンジ材６４は、Ｙ方向に長い直方体状に形成されている。スポンジ材６４のＹ方向の高さは、横部３６Ｂ及び定形シール材４１のＹ方向の高さよりも高く、外壁用フレーム２２の高さよりも低い。そして、スポンジ材６４は、図示しない両面テープ等を用いて、第２外壁材３４に固定されている。スポンジ材６４は、一例として、１つの目地４６に１つ設けられており、目地４６において第２外壁材３４によりＸ方向に圧縮されることで、目地４６のＺ方向屋内側で且つＹ方向下部を閉塞している。
【００５７】
図５に示すように、スポンジ材６４は、目地４６において、横部３６Ｂの端面及び定形シール材４１の屋内側端面と、外壁用フレーム２２との間に配置されている。そして、スポンジ材６４は、横部３６Ｂの端面及び定形シール材４１の屋内側端面に対して、Ｚ方向に僅かな隙間をあけて配置されている。これにより、第１流路４９を流れ、定形シール材４１の屋内側端面から流出された水Ｗは、スポンジ材６４と接触することで、Ｙ方向下側へ案内されるようになっている。
【００５８】
図３に示すように、スポンジ材６４の一部（Ｚ方向の屋内側端部で且つＸ方向両端部）は、一例として、外壁用フレーム２２と第２外壁材３４とでＺ方向に挟まれている。なお、図３では、スポンジ材６４の挟まれている部位のみ拡大して示している。
【００５９】
＜第４目地材＞
図８に示すように、目地４８には、Ｙ方向に延びると共に水が流れる第３流路６９を形成する第４目地材６６が設けられている。換言すると、第４目地材６６は、目地４８をＺ方向の屋外側から覆っている。また、第４目地材６６は、一例として、不定形シール材６７と、定形シール材６８とで構成されている。
【００６０】
不定形シール材６７は、材料及び形状が第１目地材３６と同様の構成されている。また、不定形シール材６７は、目地４７の横部３６Ｂの屋内側端部から、目地４８内をＹ方向下側へ向けて直線状に延びている。不定形シール材６７における下枠５８とＸ方向に並ぶ部位は、下側が上側よりも屋外側に配置されるように突出された階段状に形成されている。そして、不定形シール材６７は、サッシ４２よりも下側の目地４７における第１目地材３６に繋げられている。
【００６１】
定形シール材６８は、材料及び形状が第２目地材３８と同様の構成とされており、３つの空間部４３（図３参照）を有する。また、定形シール材６８は、二次シール材（ガスケット）として、目地４８に設けられている。さらに、定形シール材６８は、図示しない両面テープや接着剤を用いて、第１外壁材３３に固定されている。加えて、定形シール材６８は、不定形シール材６７に対するＺ方向屋内側に配置され、横部３６Ｂの屋内側端部とＺ方向に対向する位置から、Ｙ方向下側へ直線状に延びている。
【００６２】
また、定形シール材６８は、下枠５８とＸ方向に並ぶ位置において、下側が上側よりも屋外側に配置されるように傾斜配置されている。そして、定形シール材６８は、下側の目地４７における第２目地材３８に繋げられている。これにより、目地４８において、上側の目地４７から下側へ流れる水Ｗは、不定形シール材６７と定形シール材６８との間又は定形シール材６８を通って、下側の目地４７へ流れるようになっている。換言すると、第３流路６９は、不定形シール材６７と定形シール材６８との間の空間部と、定形シール材６８の空間部４３（図３参照）とを含んで構成されている。
【００６３】
図９に示すように、第２流路５１のＸ方向の端部と、第３流路６９のＹ方向上端部とは水Ｗが流通可能に繋がっている。つまり、第２流路５１をＸ方向に流れた水Ｗが、第３流路６９に流入され、第３流路６９内をＹ方向の下側へ流れるようになっている。なお、第３流路６９には、第２流路５１を流れた水Ｗだけでなく、上側の目地４７の第１流路４９を流れた水Ｗも流入可能となっている。
【００６４】
＜シールバッカー材＞
図７に示すシールバッカー材７２は、一例として、ＴＰＯ（サーモポリオレフィン）樹脂製で板状に形成されている。また、シールバッカー材７２は、横目地６１内において、Ｚ方向を厚さ方向として第３目地材４４に対する屋内側に配置されている。さらに、シールバッカー材７２は、第３目地材４４とＺ方向に接触された状態で、上枠５７及び前壁部１８Ａと共に第２流路５１を形成している。なお、図７では、第２流路５１を見易くするために、シールバッカー材７２と前壁部１８Ａとの間隔を広げて示しているが、実際は、シールバッカー材７２と前壁部１８Ａとが多点で接触することが好ましい。
【００６５】
また、シールバッカー材７２は、一例として、Ｚ方向を厚さ方向としＸ方向に延びる板状の基部７２Ａと、基部７２Ａの屋内側の面に形成されＺ方向に窪み又は突出された複数の凹部及び複数の凸部から成る流路形成部７２Ｂとを有する。流路形成部７２Ｂの屋内側の面には、図示しない両面テープのＺ方向の一方側の面が多点で貼付けられており、該両面テープの他方側の面が前壁部１８Ａに貼り付けられている。
【００６６】
基部７２Ａの屋外側の面には、図示しない接着剤が塗布されている。そして、シールバッカー材７２が横目地６１に設けられた後で、第３目地材４４が横目地６１に充填されることで、シールバッカー材７２と第３目地材４４とが接着されるようになっている。なお、流路形成部７２Ｂは、複数の凹部及び複数の凸部を有しているので、複数の凸部の先端が前壁部１８Ａに貼付けられたとしても、複数の凹部によって、Ｘ方向に長い第２流路５１が確保される。
【００６７】
＜防水テープ＞
図４に示す防水テープ７４は、一例として、Ｙ方向に長尺とされたブチルテープで構成されている。また、防水テープ７４は、目地４８において、前壁部１９Ｂ及び取付部５６ＢにＸ方向の外側（定形シール材６８側）から貼付けられている。これにより、防水テープ７４は、サッシ４２のＸ方向の側面と構成部材１４（縦フレーム１９）との隙間を塞いでいる。
【００６８】
＜排水構造の施工＞
図４に示すように、サッシ４２が、ネジ２１Ａ及びネジ２１Ｂ等を用いて構成部材１４（サッシ用フレーム１６）に取付けられる。サッシ４２のＸ方向の両側面には、防水テープ７４が貼付けられた後で定形シール材６８が設けられ、さらに、不定形シール材６７が設けられる。サッシ４２のＸ方向両外側では、第１外壁材３２が、図示しないボルト等を用いて外壁用フレーム２２に取付けられる。サッシ４２のＹ方向上側及び下側には、一例として、１つの第２外壁材３４（図１参照）が、図示しないボルト等を用いて外壁用フレーム２２に取付けられる。
【００６９】
図３に示す外壁用フレーム２２に取付けられた１つの第２外壁材３４のＸ方向の両側面（図示は片方の側面のみ）には、第１目地材３６、第２目地材３８及びスポンジ材６４が設けられる。そして、残りの第２外壁材３４が外壁用フレーム２２に取付けられる。第２目地材３８及びスポンジ材６４は、Ｘ方向に圧縮される。
【００７０】
図７に示す横目地６１では、シールバッカー材７２が前壁部１８Ａに図示しない両面テープで貼付けられた後で、第３目地材４４が横目地６１に設けられる（充填される）ことで、シールバッカー材７２と第３目地材４４とが接着される。このようにして、排水構造３０が形成される。
【００７１】
〔作用〕
次に、本実施形態の作用について説明する。
【００７２】
図５に示す排水構造３０において、目地４６の屋内側へ水Ｗが浸入する可能性がある。例えば、第１目地材３６の一部が破損している場合には、この破損部分から目地４６の屋内側の第１流路４９へ水Ｗが浸入する可能性がある。ここで、排水構造３０において、第１流路４９に水Ｗが浸入した場合を想定して説明する。
【００７３】
第１流路４９に浸入した水Ｗは、第１目地材３６及び第２目地材３８に沿ってＹ方向の下側へ流れ、さらにＺ方向の屋内側に向けて流れて、スポンジ材６４に到達する。スポンジ材６４は、流れてきた水Ｗがスポンジ材６４よりも屋内側へ浸入することを規制し且つ水Ｗを下側へ案内する。これにより、水Ｗは、第２流路５１へ流れる。第２流路５１は、Ｘ方向の中央部から両端部に向けて傾斜している。このため、第２流路５１に流入した水Ｗは、第２流路５１をＸ方向の一端側又は他端側へ流れる。
【００７４】
図９に示すように、第２流路５１をＸ方向に流れた水Ｗは、第３流路６９の上端部から第３流路６９内に流入し、第３流路６９を下側へ流れる。一方、目地４７の第１流路４９に浸入した水Ｗは、第１流路４９をＹ方向の下側に流れた後でＺ方向の屋内側へ流れて、第３流路６９内に流入する。
【００７５】
図１０には、建物１０の排水構造３０において、水Ｗが流れる状態が模式的に示されている。既述のように、上側の目地４６に浸入した水Ｗは、第１流路４９、第２流路５１、第３流路６９の順でサッシ４２の周囲を流れ、下側の目地４７の下端部に形成された図示しない排出口から排水される。また、上側の目地４７に浸入した水Ｗは、第１流路４９、第３流路６９の順でサッシ４２の側部よりも外側を流れ、図示しない排出口から排水される。
【００７６】
以上、説明したように、図５に示す排水構造３０では、第１目地材３６と第２目地材３８とで第１流路４９が構成されていることで、第１流路４９から屋外側への水Ｗの流出が抑制される。第１流路４９では、水Ｗが、Ｙ方向下側に向けて流れた後でＺ方向の屋内側に向けて流れる。そして、第１流路４９の屋内側端部に流れた水Ｗは、上枠５７の第２流路５１に流れる。第２流路５１では、第１流路４９から流れる水ＷがＸ方向に案内される。このように、建物１０において、外壁材３２に対してサッシ４２が屋内側に配置（インセット）されていても、サッシ４２に対する上側からの排水の経路を確保することができる。
【００７７】
さらに、排水構造３０では、第３目地材４４が複数の外壁材３２（第２外壁材３４）の下面３４Ｄの少なくとも一部が露出されるように、第２流路５１を屋外側から覆う。このため、水Ｗの排水の経路を建物１０の屋外側から視認され難くすることができると共に、外壁材３２の下面３４Ｄを露出させて建物１０の意匠性の低下を抑制することができる。このように、排水構造３０では、外壁材３２に対してサッシ４２が屋内側に配置された建物１０において、サッシ４２に対する上側からの排水の経路を確保し且つ建物１０の意匠性の低下を抑制することができる。
【００７８】
また、排水構造３０では、第１流路４９を流れて第２目地材３８のＺ方向屋内側端部に到達した水Ｗが、スポンジ材６４によってサッシ４２の上枠５７に案内される。換言すると、水Ｗが第１流路４９から構成部材１４に向けて勢いよく流れることがあった場合に、構成部材１４から建物１０の屋内側へ水Ｗが浸入するのを、スポンジ材６４によって抑制することができる。
【００７９】
さらに、排水構造３０では、スポンジ材６４の孔が水Ｗの流路になると共に、スポンジ材６４の孔壁が水Ｗの移動を規制する。これにより、孔が無い部材を第１流路４９の下流端に設けた構成に比べて、水Ｗの移動を規制しつつ、大きさが限られた空間部内で水Ｗを流すための空間部（流路）を確保することができる。
【００８０】
加えて、図３に示す排水構造３０では、スポンジ材６４の一部が構成部材１４と外壁材３２（第２外壁材３４）とで挟まれることで、構成部材１４と外壁材３２との隙間が塞がれる。これにより、構成部材１４と外壁材３２との隙間から屋内側へ水Ｗが浸入するのを抑制することができる。
【００８１】
また、図７に示す排水構造３０では、板状のシールバッカー材７２と上枠５７とで第２流路５１が形成されている。このため、板状よりも厚いバルク状の部材を用いて第２流路５１を形成する構成に比べて、第２外壁材３４（図５参照）の下面３４Ｄの露出面積を増やすことができる。
【００８２】
さらに、図８に示す排水構造３０では、第２流路５１（図７参照）をＸ方向に流れた水Ｗが第２流路５１の幅方向端部から第３流路６９の上端部（定形シール材６８の木口面）に流れる。そして、第３流路６９に流れた水Ｗが第３流路６９をＹ方向下側へ流れる。ここで、第３流路６９は、第４目地材６６によって屋外側から覆われており、屋外側から視認され難くなるので、建物１０の意匠性の低下を抑制しつつ排水の経路を確保することができる。
【００８３】
加えて、図４に示す排水構造３０では、防水テープ７４がサッシ３５のＸ方向の側面と、構成部材１４との隙間を塞ぐので、サッシ４２と構成部材１４との隙間から屋内側へ水Ｗ（図８参照）が浸入するのを抑制することができる。
【００８４】
なお、本発明は上記の実施形態に限定されない。
【００８５】
排水構造３０において、スポンジ材６４を除いて、水Ｗを第１流路４９から第２流路５１へ自然落下させてもよい。案内部材は、スポンジ材６４のような多孔質材に限らず、孔を有さないバルク状の部材であってもよい。この場合は、第１目地材３６及び第２目地材３８に対して案内部材をＺ方向に間隔をあけて配置して、流路を確保すればよい。さらに、スポンジ材６４は、構成部材１４と外壁材３２とで挟まれていなくてもよい。
【００８６】
また、排水構造３０において、シールバッカー材７２が設けられていなくてもよい。さらに、排水構造３０において、第３流路６９を設けなくてもよい。例えば、第２流路５１のＸ方向の端部に他の流路部材を繋いで、目地４８とは異なる場所にこの流路部材を配置して、排水を行ってもよい。加えて、排水構造３０において、防水テープ７４を設けなくてもよい。防水テープ７４を設ける替わりに構成部材１４とサッシ４２との間を定形シール材６８の一部で塞いでもよい。
【００８７】
第１外壁材３３の間に配置される第２外壁材３４の数は、３つに限らず、２つ又は４つ以上の複数であってもよい。スポンジ材６４の数は、１つに限らず、Ｙ方向に複数並べられていてもよい。目地４７において、第１目地材３６及び第２目地材３８に対するＺ方向屋内側にスポンジ材６４を設けてもよい。
【００８８】
外壁材３２は、ＡＬＣに限らず、プレキャストコンクリート板や押出成形板等であってもよい。
【符号の説明】
【００８９】
１０  建物
１４  構成部材
３０  排水構造（建物の排水構造の一例）
３２  外壁材
３３Ａ  外面
３４Ｄ  下面
３６  第１目地材
３８  第２目地材
４２  サッシ
４４  第３目地材
４９  第１流路
５１  第２流路
５７  上枠
６４  スポンジ材（案内部材及び多孔質材の一例）
６６  第４目地材
６９  第３流路
７２  シールバッカー材
７４  防水テープ（閉塞部材の一例）
【図１】
2019120029.tif 000003
【図２】
2019120029.tif 000004
【図３】
2019120029.tif 000005
【図４】
2019120029.tif 000006
【図５】
2019120029.tif 000007
【図６】
2019120029.tif 000008
【図７】
2019120029.tif 000009
【図８】
2019120029.tif 000010
【図９】
2019120029.tif 000011
【図１０】
2019120029.tif 000012